(57)【要約】【課題】通信履歴情報として信頼性が高い画情報を記憶するＦＡＸ装置およびＦＡＸ通信システムを提供すること。【解決手段】ＦＡＸ装置１００は，相手端末装置に送信する画情報を取得する。そして，相手端末装置との間でネゴシエーションを行い，相手端末装置の能力を取得する。そして，その相手先端末装置の能力に応じて画情報を調節する。その後，その調節後の画情報を，音声データに変換してアナログ回線３７０上に送信する。さらに，ＦＡＸ装置１００は，音声キャプチャ５０によって，アナログ回線３７０上に送信された画情報の音声を記録する。そして，その音声データを記憶領域３４に記憶する。【選択図】            図４
2010103649.tif 000002
【特許請求の範囲】
【請求項１】
画情報を取得する画情報取得部と，
相手端末装置の能力を取得する能力取得部と，
前記画情報取得部にて取得した画情報と前記能力取得部にて取得した能力とを基に，相手端末装置に送信する画情報の音声データを作成する作成部と，
前記作成部が作成した画情報の音声データを，アナログ回線を介して相手端末装置に送信する送信部と，
前記送信部から送信され，アナログ回線上を流れる画情報の音声データを捕捉する捕捉部と，
前記捕捉部が捕捉した画情報を記憶領域に記憶する記憶部とを備えることを特徴とするファクシミリ装置。
【請求項２】
請求項１に記載するファクシミリ装置において，
前記記憶部は，捕捉した画情報を音声データのまま記憶することを特徴とするファクシミリ装置。
【請求項３】
請求項１または請求項２に記載するファクシミリ装置において，
前記記憶部は，捕捉した画情報の音声データをアナログからデジタルに変換し，それを圧縮して記憶することを特徴とするファクシミリ装置。
【請求項４】
請求項１から請求項３のいずれか１つに記載するファクシミリ装置において，
前記記憶部は，前記作成部が画情報の符号化に用いた情報を，捕捉した画情報と対応付けて記憶することを特徴とするファクシミリ装置。
【請求項５】
請求項１から請求項４のいずれか１つに記載するファクシミリ装置において，
前記記憶部は，相手端末装置との交信情報を，捕捉した画情報と対応付けて記憶することを特徴とするファクシミリ装置。
【請求項６】
請求項１から請求項５のいずれか１つに記載するファクシミリ装置において，
前記送信部は，前記記憶部に記憶されている画情報を，アナログ回線に再送信する機能を有することを特徴とするファクシミリ装置。
【請求項７】
請求項１から請求項６のいずれか１つに記載するファクシミリ装置において，
前記捕捉部は，相手端末装置から本ファクシミリ装置に送信された画情報の音声データをも捕捉することを特徴とするファクシミリ装置。
【請求項８】
相手端末装置からアナログ回線を介して送られてきた画情報の音声データを受信する受信部と，
前記受信部が受信した音声データを基に画情報を復元する復元部と，
前記復元部が復元した画情報を印刷する印刷部と，
前記受信部が受信するアナログ回線上を流れる画情報の音声データを捕捉する捕捉部と，
前記捕捉部が捕捉した画情報を音声データのまま記憶領域に記憶する記憶部とを備えることを特徴とするファクシミリ装置。
【請求項９】
画情報を取得する画情報取得部と，
相手端末装置の能力を取得する能力取得部と，
前記画情報取得部にて取得した画情報と前記能力取得部にて取得した能力とを基に，相手端末装置に送信する画情報の音声データを作成する作成部と，
前記作成部が作成した画情報の音声データを，アナログ回線を介して相手端末装置に送信する送信部と，
前記送信部から送信され，アナログ回線上を流れる画情報の音声データを捕捉する捕捉部と，
前記捕捉部が捕捉した画情報を記憶する記憶部とを備え，
前記記憶部は，前記作成部が画情報の符号化に用いた符号化情報を，捕捉した画情報と対応付けて記憶し，
前記記憶部に記憶されている画情報を，前記符号化情報を基に復号化する復号部を備えることを特徴とするファクシミリ通信システム。
【発明の詳細な説明】
【技術分野】
【０００１】
本発明は，画情報を通信回線を介して相手端末装置に送信するファクシミリ（ＦＡＸ）装置およびＦＡＸ通信システムに関する。
【背景技術】
【０００２】
従来から，ＦＡＸ装置では，スキャナ等で原稿を読み取り，読み取った画情報を相手端末装置に送信するとともに，送信した画情報を印刷出力することが行われている。印刷出力された画情報は，例えば送信証明として利用することができる。送信証明を発行する技術としては，例えば特許文献１に，ＦＡＸ送信を行ったことを送信者が証明するための証書を作成する送信端末が開示されている。
【特許文献１】特開２００７−２２８４０９号公報
【発明の開示】
【発明が解決しようとする課題】
【０００３】
しかしながら，前記した従来のＦＡＸ装置には，次のような問題があった。すなわち，印刷出力された画情報と，送信された画情報とが一致しないことがある。例えば，ＦＡＸ装置では，画情報を送信する前に，相手端末装置の能力（画像サイズ，画質，カラー／モノクロ）を取得し，その能力に合わせて画情報を調節してから送信する。例えば，Ａ３サイズの画情報を送信する際に，相手ＦＡＸ装置がＡ４サイズしかサポートしていない場合には，送信側のＦＡＸ装置でＡ３サイズの画情報をＡ４サイズに縮小して送信することが行われる。一方で，送信側のＦＡＸ装置では，受信が正常に終了したことをトリガとして，調節前の画情報（先の例ではＡ３サイズの画情報）が印刷出力される。そのため，印刷出力した画情報と，実際に送信された画情報とで齟齬が生じ，通信履歴情報としての信頼性が低下する。
【０００４】
本発明は，前記した従来のＦＡＸ装置が有する問題点を解決するためになされたものである。すなわちその課題とするところは，通信履歴情報として信頼性が高い画情報を記憶するＦＡＸ装置およびＦＡＸ通信システムを提供することにある。
【課題を解決するための手段】
【０００５】
この課題の解決を目的としてなされたＦＡＸ装置は，画情報を取得する画情報取得部と，相手端末装置の能力を取得する能力取得部と，画情報取得部にて取得した画情報と能力取得部にて取得した能力とを基に，相手端末装置に送信する画情報の音声データを作成する作成部と，作成部が作成した画情報の音声データを，アナログ回線を介して相手端末装置に送信する送信部と，送信部から送信され，アナログ回線上を流れる画情報の音声データを捕捉する捕捉部と，捕捉部が捕捉した画情報を記憶領域に記憶する記憶部とを備えることを特徴としている。
【０００６】
本発明のＦＡＸ装置は，送信する画情報を取得し，さらに相手端末装置に画情報を送信する前に，相手端末装置の能力を取得する。そして，その能力に応じて画情報を調節した上で，その調節後の画情報を音声データに変換してアナログ回線上に送信する。相手端末装置の能力のうち，画情報に関するものとしては，例えば，原稿サイズ，画質，カラー／モノクロ対応が該当する。そして，本発明のＦＡＸ装置は，アナログ回線上に送信された画情報の音声データを捕捉し，その画情報を記憶する。
【０００７】
すなわち，本発明のＦＡＸ装置は，相手端末装置の能力に合わせて変換された後の画情報，すなわち実際に相手端末装置に向けて送信された画情報を捕捉する。そして，その画情報を，音声データとしてあるいは音声データから復元した画情報として記憶領域に記憶している。そのため，記憶した画情報と送信した画情報とが同じになり，送信履歴情報としての信頼性は高い。
【０００８】
また，本発明のＦＡＸ装置は，記憶部の捕捉した画情報を音声データのまま記憶するとよりよい。すなわち，記憶した画情報は，送信証明等の送信履歴として利用可能であるが，音声データを画情報に変換した上で記憶すると，データの改竄が容易にできてしまう。そこで，音声データのまま記憶することで，データの改竄が困難になる。よって，送信履歴としての信頼性がより向上する。
【０００９】
また，本発明のＦＡＸ装置は，捕捉した画情報の音声データをアナログからデジタルに変換し，それを圧縮して記憶するとよりよい。すなわち，画情報のデータ量を小さくすることで，記憶領域への負担が少なくなる。
【００１０】
また，本発明のＦＡＸ装置は，作成部が画情報の符号化に用いた情報を，捕捉した画情報と対応付けて記憶するとよりよい。すなわち，相手端末装置の能力確認後に行った画情報変換の条件を，画情報と対応付けて記憶することで，画情報を復元する際の利便性が向上する。「画情報の符号化に用いた情報」とは，例えば画情報の圧縮方式や通信速度が該当する。
【００１１】
また，本発明のＦＡＸ装置は，相手端末装置との交信情報を，捕捉した画情報と対応付けて記憶するとよりよい。すなわち，相手電話番号や通信確立日時等の交信記録を，画情報と対応付けて記憶することで，通信履歴としての利便性が向上する。
【００１２】
また，本発明のＦＡＸ装置は，記憶部に記憶されている画情報を，アナログ回線に再送信する機能を有するとよりよい。すなわち，本発明のＦＡＸ装置は，送信された画情報と同じ内容の画情報を記憶していることから，相手端末装置が同じであれば，画情報の再送の際，音声データを再度作成する必要がない。そこで，相手端末装置に合わせて画情報を調節するプロセスを省いて画情報を送信できる。
【００１３】
また，本発明のＦＡＸ装置は，相手端末装置から本ＦＡＸ装置に送信された画情報の音声データをも捕捉するとよりよい。すなわち，相手端末装置から送信された画情報も取得することで，記憶した画情報を受信証明にも利用できる。その際，画情報が音声データのままであればデータの改竄が困難となり，受信証明としての信頼性も向上する。
【００１４】
また，本発明は，相手端末装置からアナログ回線を介して送られてきた画情報の音声データを受信する受信部と，受信部が受信した音声データを基に画情報を復元する復元部と，復元部が復元した画情報を印刷する印刷部と，受信部が受信するアナログ回線上を流れる画情報の音声データを捕捉する捕捉部と，捕捉部が捕捉した画情報を音声データのまま記憶領域に記憶する記憶部とを備えることを特徴とするＦＡＸ装置を含んでいる。
【００１５】
すなわち，上記のＦＡＸ装置では，受信部が受信する画情報を，音声から画情報になる前に捕捉し，音声のまま記憶している。そのため，データの改竄が困難であり，記憶した画情報の受信履歴としての信頼性は高い。
【００１６】
また，本発明は，画情報を取得する画情報取得部と，相手端末装置の能力を取得する能力取得部と，画情報取得部にて取得した画情報と前記能力取得部にて取得した能力とを基に，相手端末装置に送信する画情報の音声データを作成する作成部と，作成部が作成した画情報の音声データを，アナログ回線を介して相手端末装置に送信する送信部と，送信部から送信され，アナログ回線上を流れる画情報の音声データを捕捉する捕捉部と，捕捉部が捕捉した画情報を記憶する記憶部とを備え，記憶部は，作成部が画情報の符号化に用いた符号化情報を，捕捉した画情報と対応付けて記憶し，記憶部に記憶されている画情報を，符号化情報を基に復号化する復号部を備えることを特徴とするＦＡＸ通信システムを含んでいる。
【００１７】
すなわち，本発明のＦＡＸ通信システムは，復号部によって，捕捉した画情報を原画像に復元する。これにより，送信証明等の利用が容易になり，記憶した画情報の利用価値が高まる。なお，画情報の復号化は，ＦＡＸ装置自身か行ってもよいし，ＰＣ等の外部装置で行ってもよい。
【発明の効果】
【００１８】
本発明によれば，通信履歴情報として信頼性が高い画情報を記憶するＦＡＸ装置およびＦＡＸ通信システムが実現している。
【発明を実施するための最良の形態】
【００１９】
以下，本発明にかかる印刷装置を具体化した実施の形態について，添付図面を参照しつつ詳細に説明する。本形態は，送信ないし受信した画情報を記憶する機能を有するＦＡＸ装置に本発明を適用したものである。
【００２０】
［ＦＡＸ装置の全体構成］
実施の形態のＦＡＸ装置１００は，図１に示すように，用紙に画像を印刷する画像形成部１０（印刷部の一例）と，原稿の画像を読み取る画像読取部２０（画情報取得部の一例）とを備えている。ＦＡＸ装置１００は，画像読取部２０で読み取った画情報や他の情報端末装置から送られてくる画情報を相手ＦＡＸ装置に送信するＦＡＸ送信機能と，相手ＦＡＸ装置から送られてきた画情報を受信するＦＡＸ受信機能とを有している。
【００２１】
画像形成部１０は，公知の画像形成方式によって画像を用紙に印刷する。印刷される画像は，相手ＦＡＸ装置から送られてきた画像のほか，通信レポートや後述する送信証明用の画像等がある。画像形成方式は，電子写真方式であってもインクジェット方式であってもよい。また，カラー画像に対応するものであってもモノクロ画像専用であってもよい。
【００２２】
画像読取部２０は，原稿台にセットされた原稿の画像を読み取って原稿の画像データを作成する。また，画像読取部２０は，ＦＡＸ装置１００の最上部となる位置に，原稿の自動搬送を行うＡＤＦ（Auto Document Feeder）を備えており，複数枚の原稿を連続して読み取ることができる。
【００２３】
また，画像読取部２０の前面側には，液晶ディスプレイからなる表示部４１と，スタートキー，ストップキー，テンキー等から構成されるボタン群４２とを備えた操作パネル４０が設けられ，この操作パネル４０により動作状況の表示やユーザによる入力操作が可能になっている。
【００２４】
また，ＦＡＸ装置１００は，ＦＡＸ送信した画情報を記憶する送信証明機能と，ＦＡＸ受信した画情報を記憶する受信証明機能とを有している。これら通信証明機能の詳細については後述する。
【００２５】
［ＦＡＸ装置の機能構成］
続いて，ＦＡＸ装置１００の機能構成について説明する。ＦＡＸ装置１００は，図２に示すように，画像形成部１０，画像読取部２０，操作パネル４０等と電気的に接続し，それらの制御や画像処理を行う制御部３０（能力取得部，作成部，送信部，受信部，記憶部の一例）と，デジタル信号とアナログ信号との変調を行うモデム３７１（復元部の一例）と，発信および着信を管理するＮＣＵ（Network Control Unit）３７２と，アナログ回線３７０上を流れる音声（アナログ信号）を記録する音声キャプチャ５０（捕捉部の一例）と，各種のデータを記憶する記憶領域３４（記憶領域の一例）とを備えている。
【００２６】
音声キャプチャ５０は，ＦＡＸ装置１００の出力ラインであるアナログ回線３７０上に流れる音声を記録する。また，音声キャプチャ５０は，記録した音声を，アナログデータから既知の音声記録フォーマット（ＷＡＶ，ＭＰ３等）のデジタルデータに変換するエンコード機能と，デジタルデータからアナログの音声データに変換するデコード機能とを有している。
【００２７】
記憶領域３４は，音声キャプチャ５０によって記録され，デジタルデータとなった音声データを記憶する。また，記憶領域３４に記憶される音声データには，画情報の他に，相手ＦＡＸ装置の電話番号，送信日時等の通信情報や，画情報の圧縮方式（ＪＰＥＧ，ＪＢＩＧ，ＭＭＲ，ＭＨ等），通信速度等の画情報の符号化に用いた情報が付されており，それらの情報も画情報に関連付けて記憶される。
【００２８】
［ＦＡＸ装置の通信処理］
続いて，ＦＡＸ装置１００の通信処理について説明する。本形態のＦＡＸ装置１００の伝送手順は，図３に示すような５つのフェーズからなり，フェーズＡからフェーズＥまで順次に遷移する。
【００２９】
具体的に，フェーズＡは，回線を物理的に閉結する段階である。フェーズＢは，データ伝送前の前処理を行う段階であり，主として相手ＦＡＸ装置の能力（スペック）を確認し，通信条件の選定や送信画情報の調節を行う。すなわち，相手ＦＡＸ装置の通信能力や画情報の出力能力に応じて，原稿幅（Ａ３，Ｂ４，Ａ４，レター等），カラー対応，通信速度，画質（ファイン，スーパーファイン等），画情報の圧縮方式，エラー訂正モード（ＥＣＭ）の有無などが決定される。フェーズＣは，データを伝送する段階であり，画情報が回線上に送られる。フェーズＤは，データ伝送後の後処理を行う段階であり，最終ページの確認等を行う。フェーズＥは，回線を物理的に開放する段階である。
【００３０】
［ＦＡＸ装置のデータ送信処理］
上記のフェーズに従って，画情報を相手ＦＡＸ装置に送信するデータ送信処理（能力取得部，作成部，送信部，捕捉部，記憶部の一例）について，図４のフローチャートを参照しつつ説明する。
【００３１】
まず，送信先となる相手ＦＡＸ装置の電話番号を取得する（Ｓ１０１）。電話番号は，ユーザによって操作パネル４０から入力された番号であってもよいし，ＦＡＸ装置１００に接続されている外部端末理装置から送られて来た番号であってもよい。
【００３２】
次に，送信する画情報を取得する（Ｓ１０２）。画情報は，画像読取部２０によって読み取られた原稿の画情報であってもよいし，ＦＡＸ装置１００に接続されている外部端末理装置から送られて来た画情報であってもよい。
【００３３】
次に，送信証明が必要か否かを判断する（Ｓ１０３）。すなわち，送信した画情報を送信証明として記録するか否かを判断する。送信証明の必要の有無は，あらかじめＦＡＸ装置１００に設定しておく。送信証明が必要であれば（Ｓ１０３：ＹＥＳ），音声キャプチャ５０による音声の記録，すなわち録音を開始する（Ｓ１２１）。
【００３４】
Ｓ１２１の処理後あるいは送信証明が必要でなければ（Ｓ１０３：ＮＯ），電話回線を閉結する（Ｓ１０４，フェーズＡ）。電話回線の閉結後は，相手ＦＡＸ装置とのネゴシエーションを行う（Ｓ１０５，フェーズＢ）。すなわち，相手ＦＡＸ装置の通信能力や画像形成能力を取得する。
【００３５】
次に，相手ＦＡＸ装置の能力に合わせて，送信画情報を調節する（Ｓ１０６）。例えば，画情報の縮小や解像度の変換を行う。なお，相手ＦＡＸ装置の能力が足りている場合には画情報調節を行わなくてもよい。Ｓ１０６の処理後，画情報をモデム３７１およびＮＣＵ３７２を介して相手ＦＡＸ装置に送信する（Ｓ１０７，フェーズＣ）。すなわち，モデム３７１によってデジタルデータから音声に変換された画情報を，アナログ回線３７０に送出する。
【００３６】
画情報の送信中，Ｓ１２１の処理で音声記録が開始されている場合には，音声となった画情報が音声キャプチャ５０によって捕捉される。このとき，ＦＡＸ装置１００では，画情報（フェーズＣにおける情報）のほか，相手ＦＡＸ装置との通信情報（フェーズＡにおける情報）や，画情報の符号化に用いた情報（フェーズＢにおける情報）も，音声となってアナログ回線３７０上を流れる。そのため，音声キャプチャ５０は，それらの情報も画情報と合わせて記録する。
【００３７】
次に，全ページの送信が完了したか否かを判断する（Ｓ１０８，フェーズＤ）。まだ送信していないページがある場合には（Ｓ１０８：ＮＯ），Ｓ１０６の処理に戻り，画情報の送信処理を繰り返す。全ページの送信が完了した場合には（Ｓ１０８：ＹＥＳ），電話回線を開放する（Ｓ１０９，フェーズＥ）。
【００３８】
次に，Ｓ１２１の処理で音声記録が開始されているか否かを判断する（Ｓ１１０）。音声記録を行っていない場合には（Ｓ１１０：ＮＯ），そのまま本処理を終了する。一方，音声記録を行っている場合には（Ｓ１１０：ＹＥＳ），音声キャプチャ５０による音声記録を終了する（Ｓ１２２）。そして，記録した音声を符号化する（Ｓ１２３）。すなわち，アナログの音声データを，既知の音声記録フォーマットのデジタル音声データに圧縮変換する。そして，そのデジタル音声データを記憶領域３４に保存し（Ｓ１２４），本処理を終了する。
【００３９】
［ＦＡＸ装置のデータ受信処理］
続いて，相手ＦＡＸ装置から画情報を受信するデータ受信処理（受信部，復元部，印刷部，捕捉部，記憶部の一例）について，図５のフローチャートを参照しつつ説明する。本処理は，着信を検出する度に実行される。
【００４０】
まず，受信証明が必要か否かを判断する（Ｓ１５１）。すなわち，受信する画情報を受信証明として記録するか否かを判断する。受信証明の必要の有無は，例えば，ＦＡＸ装置１００のオプション機能として設定する。受信証明が必要であれば（Ｓ１５１：ＹＥＳ），音声キャプチャ５０による記録，すなわち録音を開始する（Ｓ１７１）。
【００４１】
Ｓ１７１の処理後あるいは受信証明が必要でなければ（Ｓ１５１：ＮＯ），電話回線を閉結する（Ｓ１５２）。電話回線の閉結後は，相手ＦＡＸ装置とのネゴシエーションを行う（Ｓ１５３）。すなわち，相手ＦＡＸ装置の通信能力や画像形成能力を取得する。
【００４２】
次に，相手ＦＡＸ装置から送られてきた画情報をＮＣＵ３７２およびモデム３７１を介して受信する（Ｓ１５４）。すなわち，モデム３７１によって音声からデジタルデータに変換して画情報を取得する。
【００４３】
画情報の受信中，Ｓ１７１の処理で音声記録が開始されている場合には，モデム３７１によって変換される前の音声としての画情報が音声キャプチャ５０によって捕捉される。このとき，ＦＡＸ装置１００は，画情報のほか，相手ＦＡＸ装置との通信情報や画情報の符号化に用いた情報も，画情報と合わせて記録される。
【００４４】
次に，全ページの受信が完了したか否かを判断する（Ｓ１５５）。まだ受信していないページがある場合には（Ｓ１５５：ＮＯ），Ｓ１５４の処理に戻り，画情報の受信処理を繰り返す。全ページの受信が完了した場合には（Ｓ１５５：ＹＥＳ），電話回線を開放する（Ｓ１５６）。
【００４５】
次に，Ｓ１７１の処理で音声記録が開始されているか否かを判断する（Ｓ１５７）。音声記録を行っていない場合には（Ｓ１５７：ＮＯ），受信した画情報を画像形成部１０によって印刷する（Ｓ１５８）。画情報の印刷出力後は本処理を終了する。一方，音声記録を行っている場合には（Ｓ１５７：ＹＥＳ），音声キャプチャ５０による音声記録を終了する（Ｓ１７２）。そして，記録した音声を符号化する（Ｓ１７３）。すなわち，記録した音声を，既知の音声記録フォーマットのデジタル音声データに圧縮変換する。そして，そのデジタル音声データを記憶領域３４に保存する（Ｓ１７４）。その後，Ｓ１５８の処理に移行し，Ｓ１５８の処理後，本処理を終了する。
【００４６】
なお，受信した画情報の出力処理は，印刷に限らず，記憶領域３４への保存であってもよい。その場合，保存される画情報は，Ｓ１７４の処理で記憶したような音声データではなく，モデム３７１を経由した後の画情報となる。
【００４７】
［ＦＡＸ装置のデータ再送信処理］
続いて，記憶領域３４に記憶した画情報を再送信するデータ再送信処理について，図６のフローチャートを参照しつつ説明する。
【００４８】
まず，再送信する画情報を，記憶領域３４に記憶されてる画情報から選択する（Ｓ２０１）。画情報の選択は，操作パネル４０からユーザに選択させてもよいし，前回送信した画情報を自動的に選択してもよい。
【００４９】
次に，選択した画情報に関連付けられている相手ＦＡＸ装置の電話番号を抽出する（Ｓ２０２）。すなわち，選択した画情報に関連付けられているフェーズＡの情報を抽出する。次に，選択した画情報に関連付けられている相手ＦＡＸ装置の能力を抽出する（Ｓ２０３）。すなわち，選択した画情報に関連付けられているフェーズＢの情報を抽出する。
【００５０】
次に，Ｓ２０２の処理で抽出した電話番号を基に相手先ＦＡＸ装置に発呼し，電話回線を閉結する（Ｓ２０４）。そして，相手先ＦＡＸ装置とのネゴシエーションを行い，相手先ＦＡＸ装置の実際の能力を取得する（Ｓ２０５）。そして，Ｓ２０３の処理で取得した前回送信時の能力と，Ｓ２０５の処理で取得した今回の能力とが一致するか否かを判断する（Ｓ２０６）。
【００５１】
前回送信時の能力と今回の能力とが一致する場合には（Ｓ２０６：ＹＥＳ），選択された画情報を，音声キャプチャ５０にてデジタル音声データからアナログの音声に変調し，モデム３７１を経由せずにＮＣＵ３７２から相手先ＦＡＸ装置に送信する（Ｓ２０７）。
【００５２】
一方，前回送信時の能力と今回の能力とが一致しない場合には（Ｓ２０６：ＮＯ），記憶領域３４に記憶されている音声データをそのまま送信してもその画情報が正確に出力されるかは不明である。そこで，Ｓ２０３の処理で取得したフェーズＢの情報を基に，音声データからオリジナルの画情報を復元する（Ｓ２２１）。そして，Ｓ２０５の処理で取得した能力情報に合わせて画情報を調節し，調節後の画情報を送信する。つまり，復元後の画情報を，モデム３７１を経由してＮＣＵ３７２から相手先ＦＡＸ装置に送信する（Ｓ２２２）。Ｓ２０６ないしＳ２２２での送信処理後は，電話回線を開放し（Ｓ２０８），本処理を終了する。
【００５３】
すなわち，本形態のＦＡＸ装置１００は，相手先ＦＡＸ装置に送信された画情報と同じ内容の画情報を記憶している。また，ダイアル情報（フェーズＡの情報）やプロトコル情報（フェーズＢの情報）を，その画情報と関連付けて記憶している。そのため，画情報に関連付けられた相手先ＦＡＸ装置の能力と，再送先のＦＡＸ装置１００の能力とが一致していれば，その画情報をモデム３７１を介さずそのまま送信することができる。これにより，ＦＡＸ送信における処理の簡略化が図られる。
【００５４】
［ＦＡＸ通信システム］
続いて，ＦＡＸ通信システムについて説明する。本形態のＦＡＸ通信システムでは，ＦＡＸ装置１００の通信記録を，ＦＡＸ装置１００に接続されているパーソナルコンピュータ（ＰＣ）によって出力する。
【００５５】
具体的に本形態のＦＡＸ通信システムは，図２に示したように，ＦＡＸ装置１００とＰＣ９０とがネットワーク３６０を介して接続されている。ＰＣ９０には，符号化された画情報を取得し，その画情報を復号化するプログラムである復号プログラム９１（復号部の一例）と，復元された画情報を表示するプログラムである表示プログラム９２とが組み込まれている。
【００５６】
本ＦＡＸ通信システムでは，ＰＣ９０が，ＦＡＸ装置１００に対して送信証明ないし受信証明を要求する。例えば送信証明を要求した場合には，ＦＡＸ装置１００から，記憶領域３４に記憶されているＦＡＸ送信に関する画情報およびその画情報に関連付けられた符号化に用いた情報が送られる。
【００５７】
ＰＣ９０は，復号プログラム９１によって，送られてきた画情報を復号化する。すなわち，記憶領域３４に記憶されている画情報は音声データであり，そのままの状態では画情報として認識できない。そこで，復号プログラム９１は，画情報の符号化に用いた情報，すなわち画情報の圧縮方式や通信速度等のプロトコル情報を基に，オリジナルの画情報を復元する。
【００５８】
そして，復元した画情報を，表示プログラム９２によってディスプレイに表示する。ユーザは，ディスプレイを見ることによって送信内容を確認することができる。また，図２に示したように，ＰＣ９０にプリンタ９５を接続し，表示した送信証明をプリンタ９５を介して印刷可能に構成してもよい。
【００５９】
送信証明としては，例えば復元した画情報に，送信証明であることを示す証明刻印およびジョブの識別ＩＤを重ねた画情報を作成する。また，ＦＡＸ装置１００から取得するデータに通信の詳細情報（相手ＦＡＸ装置の電話番号や発信時刻等）が含まれる場合には，それらの情報を重ね合わせてもよい。また，それらの情報を送信レポートとして別途表示してもよい。
【００６０】
なお，受信証明の場合であっても，送信証明と同様の手順によって画情報を表示する。すなわち，復号プログラム９１によって，記憶領域３４に記憶されている画情報を復元し，その復元した画情報を表示プログラム９２によってディスプレイに表示する。
【００６１】
以上詳細に説明したように本形態のＦＡＸ装置１００は，アナログ回線３７０上に送信された画情報の音声データを捕捉し，その音声データを記憶領域３４に記憶している。すなわち，ＦＡＸ装置１００は，相手ＦＡＸ装置の能力に合わせて変換された後の画情報，すなわち実際に相手ＦＡＸ装置に向けて送信された画情報を記憶領域３４に記憶している。そのため，記憶した画情報と送信した画情報とが同じになり，送信履歴情報としての信頼性は高い。
【００６２】
また，ＦＡＸ装置１００は，捕捉した画情報を音声データのまま記憶している。そのため，画情報として記憶する構成と比較して，データの改竄が困難である。よって，送信履歴としての信頼性がより向上する。
【００６３】
なお，本実施の形態は単なる例示にすぎず，本発明を何ら限定するものではない。したがって本発明は当然に，その要旨を逸脱しない範囲内で種々の改良，変形が可能である。例えば，ＦＡＸ専用機に限らず，ＦＡＸ送信機能およびＦＡＸ受信機能の少なくとも一方を有する装置（例えば，複合機やＰＣ）であれば適用可能である。
【００６４】
また，実施の形態では，記録した音声を既知の音声記録フォーマットに圧縮変換してから記憶領域３４に記憶しているが，圧縮変換せずに記憶してもよい。すなわち，音声（アナログデータ）をデジタルデータに変換せずに，アナログデータのまま記憶してもよい。アナログデータのまま記憶することでデータの改竄が極めて困難になる。また，音声記録フォーマットに圧縮変換した後，さらに画情報に復元して記憶してもよい。画情報として記憶することで，データの利用が容易になる。
【００６５】
また，実施の形態では，ＰＣ９０がＦＡＸ装置１００の記憶領域３４から画情報を取得し，表示プログラム９２によって送信証明ないし受信証明を表示しているが，通信証明の出力方法はこれに限るものではない。例えば，ＦＡＸ装置１００自身が画情報を復元するプログラムを有し，画像形成部１０によって通信証明を印刷するように構成してもよい。
【図面の簡単な説明】
【００６６】
【図１】実施の形態にかかるＦＡＸ装置の概略構成を示す斜視図である。
【図２】実施の形態にかかるＦＡＸ装置の機能構成を示すブロック図である。
【図３】実施の形態にかかるＦＡＸ装置の通信フェーズを示す表である。
【図４】ＦＡＸ送信処理の手順を示すフローチャートである。
【図５】ＦＡＸ受信処理の手順を示すフローチャートである。
【図６】ＦＡＸ再送信処理の手順を示すフローチャートである。
【符号の説明】
【００６７】
１０    画像形成部
２０    画像読取部
３０    制御部
３４    記憶領域
５０    音声キャプチャ
９０    ＰＣ
９１    復号プログラム
９２    表示プログラム
１００  ＦＡＸ装置
３７０  アナログ回線
３７１  モデム
３７２  ＮＣＵ
【図１】
2010103649.tif 000003
【図２】
2010103649.tif 000004
【図３】
2010103649.tif 000005
【図４】
2010103649.tif 000006
【図５】
2010103649.tif 000007
【図６】
2010103649.tif 000008